(57)【要約】【課題】栓キャップ部の分解性を損ねることなく、外装カバー部から栓キャップ部が不意に外れる事態を防止する。【解決手段】本発明に係る飲食物容器は、上端部３に出入口４が形成された容器本体１と、出入口４を閉塞する栓２とを備えている。本飲食物容器において、栓２は、出入口４を取り囲む態様で容器本体１の上端部３に配置される外装カバー部１０と、出入口４の内側に配置される有底筒状の中筒部１１と、中筒部１１を上方から覆う天面１６及び中筒部１１の内側へ上方側から配置される筒状壁１７が設けられた栓キャップ１２部とを有している。そして、中筒部１１と筒状壁１７との間に、中筒部１１と栓キャップ部１２とを着脱可能に連結する係合部１８が設けられているものであり、栓キャップ部１２の天面１６は外装カバー部１０の径方向内側に配置されている構成が採用されている。【選択図】図１
2015221087.tif 000002
【特許請求の範囲】
【請求項１】
上端部に飲食物の出入口が形成された容器本体と、前記出入口を水密に閉塞する栓とを備え、前記栓は、前記出入口を取り囲む態様で前記容器本体の上端部に配置される外装カバー部と、前記出入口の内側に配置される有底筒状の中筒部と、前記中筒部の上方を覆う天面及び前記中筒部の内側へ上方側から配置される筒状壁が設けられた栓キャップ部とを有し、前記中筒部の内周と前記筒状壁の外周との間に当該中筒部と栓キャップ部とを着脱可能に連結する係合部が設けられている飲食物容器において、
前記栓キャップ部の前記天面は、外周縁が前記外装カバー部の径方向内側に配置されることを特徴とする飲食物容器。
【請求項２】
前記係合部は、前記筒状壁の外周に設けられた突起状の係止片と、前記中筒部の内周に設けられ、上下方向軸線周りの一方側へ向かう前記係止片の回転を規制する回転規制壁と、前記中筒部の内周から径方向に突出し、前記係止片の上下方向への移動を規制する係止受け壁とを有する請求項１に記載の飲食物容器。
【請求項３】
前記係合部は、前記中筒部に対する前記栓キャップ部の回転位相において、前記回転規制壁によって前記係止片の回転が規制される第１の位相と、前記係止受け壁によって前記係止片の上下移動の規制が解放される第２の位相とを有し、前記第１の位相と第２の位相とが０度より大きく且つ２５度より小さくなるように設定されている請求項２に記載の飲食物容器。
【請求項４】
前記中筒部は、前記係止片を前記係止受け壁に向かって案内する案内面を有しており、該案内面が、前記一方側へ回転する前記栓キャップ部の前記係止片を下方側に従動させ、前記一方側と逆の他方側へ回転する前記栓キャップ部の前記係止片を上方側に従動させる傾斜面になっている請求項２又は３に記載の飲食物容器。
【請求項５】
前記栓キャップ部は、前記天面の外周縁が径方向内側へ凹んだ摘み部を含む請求項１〜４のいずれか１項に記載の飲食物容器。
【請求項６】
前記摘み部は、径方向内側に向かうに連れて上方に傾斜する斜面になっている請求項５に記載の飲食物容器。
【発明の詳細な説明】
【技術分野】
【０００１】
この発明は、飲料や食料の携帯に使用される飲食物容器に関する。
【背景技術】
【０００２】
飲食物容器は、上端部に飲食物の出入口が形成された容器本体と、該出入口を水密に閉塞する着脱式の栓とを備える。一般に、飲食物容器では、内容物の温度変化を避けるため、断熱性が重視される。このため、栓の内部に断熱室が設けられている。断熱室の内側は、空気を滞留させたり、発泡体のような固体断熱材を収容したりするための空間になっている。断熱室は、成形の都合上、上下に分割した構造になっている。この種の栓は、出入口を取り囲む態様で容器本体の上端部に配置される外装カバー部と、出入口の内側に配置される有底筒状の中筒部と、中筒部の上方を覆う天面及び中筒部の内側へ上方側から配置される筒状壁が設けられた栓キャップ部とを有する。
【０００３】
この種の栓の中には、中筒部と筒状壁との間に中筒部と栓キャップ部とを着脱可能に連結する係合部が設けられているものがある。このような栓は、断熱室内が結露等で汚れた場合、使用者の判断で栓キャップ部と中筒部とを分離する分解作業を行い、断熱室内の洗浄や清掃を実施することができる（特許文献１〜３）。
【０００４】
例えば、特許文献１、２に開示される栓の係合部は、中筒部に設けられた雌ねじと、栓キャップ部に設けられた雄ねじとによって構成されている。特許文献３に開示される栓の係合部は、中筒部に設けられたシール面と、栓キャップ部に設けられ、シール面に密着するパッキンとによって構成されている。
【０００５】
特許文献１〜３のような飲食物容器においては、通常、五指によって外装カバー部を径方向内側に掴むことができる設計がなされている。この掴み方で飲食物容器を持ち上げる限り、栓キャップ部が不意に中筒部から外れることはない。
【先行技術文献】
【特許文献】
【０００６】
【特許文献１】特開２０１１−２４４０３９号公報
【特許文献２】特開２０１３−２４０４７２号公報
【特許文献３】特開２０１１−２３０８４８号公報
【発明の概要】
【発明が解決しようとする課題】
【０００７】
しかしながら、使用者が誤って、外装カバー部の上に重なっている栓キャップ部を掴んで飲食物容器を持ち上げると、栓キャップ部が不意に中筒部から外れてしまう可能性があり、この点で改良の余地がある。栓キャップ部を外装カバー部に固定した状態に拘束する手段を追加することも考えられるが、栓の分解性が悪くなるため、好ましくない。
【０００８】
そこで、この発明が解決しようとする課題は、栓キャップ部の分解性を損ねることなく、外装カバー部から栓キャップ部が不意に外れることを防止することにある。
【課題を解決するための手段】
【０００９】
上記の課題を解決するため、この発明は、上端部に飲食物の出入口が形成された容器本体と、前記出入口を水密に閉塞する栓とを備え、前記栓は、前記出入口を取り囲む態様で前記容器本体の上端部に配置される外装カバー部と、前記出入口の内側に配置される有底筒状の中筒部と、前記中筒部の上方を覆う天面及び前記中筒部の内側へ上方側から配置される筒状壁が設けられた栓キャップ部とを有し、前記中筒部の内周と前記筒状壁の外周との間に当該中筒部と栓キャップ部とを着脱可能に連結する係合部が設けられている飲食物容器に係るものであり、前記栓キャップ部の前記天面は、外周縁が前記外装カバー部の径方向内側に配置される構成を採用したものである。なお、この発明において、上下方向は、飲食物容器の底面を水平面上に置いたとき、当該水平面に直角な向きとなる方向のことを意味する。また、径方向は、上下方向の軸線が設定された任意の部材の当該軸線に直角な方向のことをいう。
【００１０】
上記構成によれば、栓キャップ部の天面は外周縁が外装カバー部の径方向内側に配置されていることより、使用者が誤って栓キャップ部を五指で掴む事態を確実に回避することが可能となるため、外装カバー部から栓キャップ部が不意に外れることを防止することができる。しかも、栓キャップ部を外装カバー部に拘束する手段を追加することなく、栓キャップ部の天面と外装カバー部との位置関係のみで当該事態が防止されるため、栓キャップ部の分解性を損ねることがない。
【００１１】
また、前記係合部は、前記筒状壁の外周に設けられた突起状の係止片と、前記中筒部の内周に設けられ、上下方向軸線周りの一方側へ向かう前記係止片の回転を規制する回転規制壁と、前記中筒部の内周から径方向に突出し、前記係止片の上下方向への移動を規制する係止受け壁とを有するのが好ましい。このような係合部によれば、従来の飲食物容器にも採用されていた回転作業によって栓キャップ部と中筒部とを分解させることができる。
【００１２】
また、前記係合部は、前記中筒部に対する前記栓キャップ部の回転位相において、前記回転規制壁によって前記係止片の回転が規制される第１の位相と、前記係止受け壁によって前記係止片の上下移動の規制が解放される第２の位相とを有し、前記第１の位相と第２の位相とが０度より大きく且つ２５度より小さくなるように設定されているのが好ましい。これによれば、中筒部に対する栓キャップ部の回転位相を小さい回転位相（０度より大きく且つ２５度より小さい回転位相）で係止片の上下移動の規制を解放することができる。つまり、栓キャップ部は、中筒部および外装カバー部に対して僅かに回転させることによって上方に外れる状態となる。したがって、栓キャップ部が中筒部に対して僅かに回転している不完全な係合状態である場合において使用者が栓キャップ部を掴んだとしても、栓キャップ部のみが持ち上げられ、容器本体（栓キャッ部プ以外の部材）が持ち上げられることを回避することができ、栓キャップ部が不完全な係合状態のままの飲食物容器が携帯される事態を防止することができる。
【００１３】
また、前記中筒部は、前記係止片を前記係止受け壁に向かって案内する案内面を有しており、該案内面が、前記一方側へ回転する前記栓キャップ部の前記係止片を下方側に従動させ、前記一方側と逆の他方側へ回転する前記栓キャップ部の前記係止片を上方側に従動させる傾斜面になっているのが好ましい。このようにすると、栓キャップ部の回転方向と回転量に応じて係止片を案内面に沿って上下動させることができる。したがって、栓キャップ部と中筒部とを係合部で連結する作業に際し、係止片を簡単かつ確実に係止受け壁に案内することができる。また、係止片が案内面上に位置して係止受け壁の規制を受けていない回転不足状態を、外装カバー部に対する栓キャップ部の天面の上下方向位置から容易に視認することができる。
【００１４】
また、前記栓キャップ部は、前記天面の外周縁が径方向内側へ凹んだ摘み部を含むのが好ましい。このようにすると、凹んだ摘み部のところへ指を挿入すると共に当該指で摘みながら栓キャップ部を回転させることができる。なお、意識しながらでなければ、摘み部のところへ指を挿入することがないため、通常、摘み部を利用して栓キャップ部が掴まれる誤使用を想定することは不要であろう。
【００１５】
また、前記摘み部は、径方向内側に向かうに連れて上方に傾斜する斜面になっているのが一層好ましい。このようにすると、仮に、摘み部を指で摘まもうとしても、その指に力が入り難い斜面になっているので、栓キャップ部を掴み上げ難くすることができる。
【発明の効果】
【００１６】
この発明に係る飲食物容器は、上記構成の採用により、栓キャップ部の天面は外周縁が外装カバー部の径方向内側に配置されていることより、使用者が誤って栓キャップ部を五指で掴む事態を確実に回避することが可能となるため、外装カバー部から栓キャップ部が不意に外れることを防止することができる。しかも、栓キャップ部を外装カバー部に拘束する手段を追加することなく、栓キャップ部の天面と外装カバー部との位置関係のみで当該事態が防止されるため、栓キャップ部の分解性を損ねることがない。
【図面の簡単な説明】
【００１７】
【図１】この発明の実施形態に係る飲食物容器を図４（ａ）のｆ−ｆ線と同じ断面で示した縦断面図
【図２】図１の飲食物容器の栓キャップ部を外した状態を示す部分分解斜視図
【図３】図１の飲食物容器の栓キャップ部を正規に取り付けた状態を示す部分斜視図
【図４】（ａ）は図１の栓キャップ部の上面図、（ｂ）は図１の栓キャップ部の全体斜視図、（ｃ）は図１の栓キャップ部の正面図、（ｄ）は図１の栓キャップ部の左側面図、（ｅ）は図１の栓キャップ部の下面図、（ｆ）は前記（ａ）のｆ−ｆ線の断面図、（ｇ）は前記（ｃ）のｇ−ｇ線の断面図
【図５】図１の飲食物容器の中筒部の上面図
【図６】（ａ）は図５のａ−ａ線の断面図、（ｂ）は図５のｂ−ｂ線の断面図、（ｃ）は図５のｃ−ｃ線の断面図
【図７】（ａ）は、図１の栓キャップ部を中筒部に連結する回転作業の準備状態を例示する作用図、（ｂ）は、前記（ａ）から回転を進めた段階の作用図、（ｃ）は、前記（ｂ）から回転を進めた段階の作用図、（ｄ）は、前記（ｃ）から連結作業の完了まで回転させた段階の作用図
【発明を実施するための形態】
【００１８】
この発明に係る飲食物容器の一例としての実施形態を添付図面に基づいて説明する。実施形態に係る飲食物容器は、図１〜図３に示すように、平坦面上に載置可能な容器本体１と、該容器本体１に着脱可能な栓２とを備える。なお、図１は、この飲食物容器の底面を水平面上に置いた状態を前提に描いている。図中の上下方向とはこの発明における上下方向に相当する。また、径方向とは本飲食物容器の中心を上下方向に通過させた軸線Ｃに直角な方向のことをいい、周方向とは前記軸線Ｃ周りの方向のことをいう。
【００１９】
容器本体１は、図１に示すように、上端部３に出入口４が形成された有底円筒状の器体になっており、ステンレス鋼製の内びん５および外びん６の間を真空にせしめて構成される真空二重びん（まほうびん）となっている。
【００２０】
この容器本体１は、内びん５の上端側の内面７において縮径となっている絞り部８を有し、該絞り部８が容器本体１の最小内径部を形成する。そして、内びん５の内部に形成された使用空間のうち、絞り部８の最小内径部よりも高い（上側の）領域において本飲食物容器の出入口４が形成されている。使用者は、栓２を容器本体１から取外すことによって、内容物を出入口４から使用空間内に出し入れすることができる。
【００２１】
また、容器本体１は、出入口４の一部を形成する合成樹脂製の口部材９を有しており、該口部材９が内びん５に着脱可能になっている。
【００２２】
栓２は、出入口４を水密に閉塞するものであって、図１、図２に示すように、出入口４を取り囲む態様で容器本体１の上端部３に配置される外装カバー部１０と、出入口４の内側に配置される有底筒状の中筒部１１と、中筒部１１に着脱可能な栓キャップ部１２とを有する。
【００２３】
外装カバー部１０は、図１に示すように、合成樹脂からなる環状部材である。この外装カバー部１０は、出入口４を取り囲む範囲が上端部３から外びん６の肩部６ａまでに設定されている。この範囲は、適宜に設定すればよい。
【００２４】
中筒部１１は、図１に示すように、出入口４の内側に配置される有底筒状の樹脂部品である。有底筒状とは、上面に筒口を形成する周壁１３と、周壁１３の下端部を閉じるための底壁１４とが設けられている形状のことを意味する。この中筒部１１は、底壁１４の中央部付近に、容器本体１の使用空間と大気間の圧力調整を行う自動弁（図示省略）が設けられている。また、中筒部１１は、内面７との間を水密に密封するパッキン１５を有する。中筒部１１は、外装カバー部１０に着脱可能に連結されている。なお、中筒部と外装カバー部は、一体の樹脂部品に成形してもよい。
【００２５】
外装カバー部１０は、内周に栓２を容器本体１に着脱するための雌ねじが形成されている。一方で、容器本体１の外周には前述の雌ねじに対応の雄ねじが形成されている。これら雌ねじおよび雄ねじの軸線は、図１中に描いた上下方向の一点鎖線Ｃと一致しており、容器本体１、栓２の径方向を定める基準の軸線になっている。栓２は、これら雌ねじと雄ねじとをねじ込む操作によって容器本体１に締結されるようになっている。このねじ込み操作に伴い、外装カバー部１０の内周と、中筒部１１の外周との間に形成された環状空間に、容器本体１の上端部３が入る。
【００２６】
また、外装カバー部１０の外周には、図２に示すように、周方向について交互に凹面１０ａおよび凸面１０ｂが形成されている。この凹凸面１０ａ，１０ｂは、前述のねじ込み操作を容易にするためのものであり、五指で外装カバー部１０の外周を掴む際に周方向ないし上下方向の滑り止めとなる。
【００２７】
中筒部１１は、図１、図２に示すように、外装カバー部１０に対するパッキン１５の位置を定め、パッキン１５の型崩れを防止する。パッキン１５は、内面７に密着可能な環状になっている。密着箇所は、絞り部８のうち、最小内径部から上側に連なる斜面域に設定されている。
【００２８】
栓キャップ部１２は、図１〜図４に示すように、中筒部１１の上方を覆う天面１６と、中筒部１１の内側へ上方から配置される筒状壁１７とが設けられている。天面１６は、栓キャップ部１２の上面全体を形成し、外装カバー部１０の上端部と共に飲食物容器の天面を形成する。筒状壁１７は、天面１６から下方に突出して形成されている。なお、本実施形態では、天面１６と筒状壁１７は一体の部品となされている。
【００２９】
また、栓キャップ部１２は、中筒部１１の内周と筒状壁１７との間に中筒部１１と栓キャップ部１２とを着脱可能に連結する係合部１８が設けられている。
【００３０】
係合部１８は、図１、図４〜図６に示すように、係止片１９と、回転規制壁２０と、係止受け壁２１と、抵抗部２２とを有する。この係合部１８は、中筒部１１に栓キャップ部１２を装着するには中筒部１１に対して栓キャップ部１２を平面視において時計方向に回転させ、中筒部１１から栓キャップ部１２を外すには中筒部１１に対して栓キャップ部１２を平面視において反時計方向に回転させるようになっている。なお、以下では平面視における時計方向を「一方側へ向かう回転（一方回転）」、平面視における反時計方向を一方側と逆方向である「他方側へ向かう回転（他方回転）」と呼ぶ。
【００３１】
係止片１９は、図４に示すように、筒状壁１７の外周において周方向等配の３か所に突起状に設けられている。この係止片１９は、上面及び下面が周方向に沿って平行に形成されている。さらに、筒状壁１７は、この係止片１９の他方回転側の端部から上下方向に延びるリブ２３を有する。リブ２３は、筒状壁１７の径方向肉厚をなるべく薄く形成するためのものである。
【００３２】
回転規制壁２０は、図２、図６、図７に示すように、中筒部１１の内周に設けられている。回転規制壁２０は、軸線Ｃ周りの一方側へ向かう係止片１９の回転を規制する突条壁になっている。回転規制壁２０は、係止片１９に対応させて周方向等配の３か所に配置されている。
【００３３】
係止受け壁２１は、中筒部１１の内周から径方向外側に突出している。この係止受け壁２１は、係止片１９の上下方向への移動を規制する上下一対の壁部によって構成されている。具体的には、係止受け壁２１は、回転規制壁２０の上下両端部から他方回転側に向かって平行に延在しており、これにより周方向に沿った溝２４が形成されている。この係止受け壁２１は、係止片１９および回転規制壁２０に対応させて周方向等配の３か所に配置されている。
【００３４】
なお、係止受け壁２１による溝２４は、係止片１９が上下方向に移動することを不可能にせしめる一方で、周方向には移動可能な形状に設定されている。
【００３５】
抵抗部２２は、図４に示すように、筒状壁１７に形成された周方向に向かう平行スリット２２ａ，２２ｂの間の中間部分において、径方向外側に突出する態様で設けられている。この抵抗部２２は、樹脂部品で形成されており、このため平行スリット２２ａ，２２ｂの間にあることによって径方向に移動可能となっている。また、抵抗部２２の周方向位置は、係止片１９の一方回転側であって、かつ一方回転する係止片１９が回転規制壁２０に突き当った時点で回転規制壁２０より一方回転側に配置される位置に設定されている。したがって、抵抗部２２は、中筒部１１に対する栓キャップ部１２の装着に際し、回転規制壁２０を通過することに伴う振動（乗り越え）によって、栓キャップ部１２の一方回転の完了を使用者に知らせるクリック感を与えると共に、栓キャップ部１２の不意な他方回転を防止する。なお、この抵抗部２２は、本実施形態では一か所に設けられているが、複数個所に設けられてもよい。
【００３６】
また、中筒部１１は、図５、図６に示すように、係止片１９を係止受け壁２１に向かって案内する案内面２５を有する。案内面２５は、各係止受け壁２１の間に周方向等配の３か所に配置されており、一方回転する栓キャップ部１２の係止片１９を下方側に従動させ、他方回転する栓キャップ部１２の係止片１９を上方側に従動させる傾斜面になっている。具体的には、案内面２５は、軸線Ｃを螺旋軸とし、一方回転側に進むに連れて降下している。３つの案内面２５は、同じ高さから始まり、同じ高さで終わっている。案内面２５の終端の高さは、係止受け壁２１の下側の上面と同じに設定されている。
【００３７】
而して、栓キャップ部１２と中筒部１１は、次のように連結することができる。先ず、栓キャップ部１２を中筒部１１の上方で軸線Ｃに関して同軸に配置し、この状態から降下させる。ここで、中筒部１１に対する栓キャップ部１２の相対的な回転位相が、平面視において係止片１９と係止受け壁２１とが重ならない位相になっている場合、図７（ａ）に示すように、各係止片１９がいずれかの案内面２５上に当接するようになっている。ここから中筒部１１に対して栓キャップ部１２を一方回転させると、図７（ｂ）に示すように、各係止片１９が案内面２５上を滑り下りるため、栓キャップ部１２が徐々に降下する。そして、図７（ｃ）に示すように、各係止片１９が案内面２５の終端にきたときには栓キャップ部１２の降下が止まり、各係止片１９は係止受け壁２１の下側の上面と同じ高さになっている。したがって、さらに栓キャップ部１２の一方回転させると、各係止片１９が係止受け壁２１の溝２４に周方向に入る。やがて図７（ｄ）に示すように、一方回転する各係止片１９が回転規制壁２０に突き当り、栓キャップ部１２をそれ以上一方回転させることができなくなる。このとき、抵抗部２２は、回転規制壁２０を通過し終えており、栓キャップ部１２の他方回転に抵抗し得る状態になっている。これにより、係合部１８による栓キャップ部１２と中筒部１１の連結が完了する。係止片１９は案内面２５上を単に滑るだけなので、抵抗部２２が回転規制壁２０を通過するとき以外に栓キャップ部１２の回転抵抗を受けず、ねじ締結に比して軽い操作力で栓キャップ部１２を回すことができる。なお、栓キャップ部１２を降下させたとき、偶々、平面視において係止片１９と係止受け壁２１とが重なる位相になっている場合、つまり、各係止片１９が案内面２５の終端と係止受け壁２１間の周方向隙間に落ち込む位相であった場合、栓キャップ部１２を一方回転させると、直ちに係止片１９が係止受け壁２１に入るので、案内の必要性がない。
【００３８】
一方、係合部１８によって中筒部１１に連結された栓キャップ部１２を抵抗部２２の抵抗に抗して他方回転させると、図７（ｄ）〜（ａ）と逆の進行が行われる。すなわち、係止片１９は、係止受け壁２１から抜け出し、栓キャップ部１２を中筒部１１に対して上方へ分離可能な状態となる。さらに栓キャップ部１２の他方回転を継続すると、係止片１９は、案内面２５を滑り上がり、徐々に栓キャップ部１２が中筒部１１に対して上昇する。
【００３９】
係止片１９、回転規制壁２０、係止受け壁２１等は、栓キャップ部１２を中筒部１１に対する一方回転又は他方回転で連結又は分解することができる限り、適宜の周方向配置、数、形状に設定すればよい。
【００４０】
またここで、栓キャップ部の天面１６は、図１〜図４に示すように、外周縁が径方向内側へ凹んだ摘み部２６を含む。この摘み部２６は、栓キャップ部１２の直径線上の２か所に配置されている。栓キャップ部１２の一方回転や他方回転の操作は、一対の摘み部２６を片手の親指と他の指で挟むように摘み、これらを捻ることで栓キャップ部１２を回転方向に押し回すことができる。
【００４１】
しかも、摘み部２６は、径方向内側に向かうに連れて上方に傾斜する斜面になっている。このように摘み部２６が斜面になっていても、栓キャップ部１２を回す方向に押すことは可能である。
【００４２】
一方、一対の摘み部２６のみを親指と他の指で径方向に挟むように摘まもうとしても、径方向の挟み力を逃がす斜面の摘み部２６になっているので、両指に力が上手く入らず、栓キャップ部１２を掴み上げることは非常に困難である。なお、摘み部２６は、径方向に露出する領域において径方向内側へ傾く勾配をもてばよく、栓キャップ部１２の外周縁から凹んだ全領域で前述の傾斜を設定する必要はなく、図のように外周縁から径方向に沿った領域を形成してもよい。摘み部２６は、栓キャップ部１２の成型表面になっており、特に表面粗さを変化させる加工は行っていない。
【００４３】
以上によれば、栓キャップ部１２の天面１６は外周縁が外装カバー部１０の径方向内側に配置されていることより、使用者が誤って栓キャップ部１２を五指で掴む事態を確実に回避することが可能となるため、外装カバー部１０から栓キャップ部１２が不意に外れることを防止することができる。しかも、栓キャップ部１２を外装カバー部１０に拘束する手段を追加することなく、栓キャップ部１２の天面と外装カバー部１０との位置関係のみで当該事態が防止されるため、栓キャップ部１２の分解性を損ねることがない。
【００４４】
また、上述のような係合部１８によれば、従来の飲食物容器にも採用されていた回転作業によって栓キャップ部と中筒部とを分解させることができる。
【００４５】
また、栓キャップ部１２の回転方向と回転量に応じて係止片１９を案内面２５に沿って上下動させ得るため、栓キャップ部１２と中筒部１１とを係合部１８で連結する作業に際し、係止片１９を簡単かつ確実に係止受け壁２１（溝２４）に案内することができる。また、係止片１９が案内面２５上に位置して係止受け壁２１の規制を受けていない回転不足状態を、外装カバー部に対する栓キャップ部の天面の上下方向位置から容易に視認することができる。
【００４６】
また、本実施形態の係合部１８は、中筒部１１に対する栓キャップ部１２の回転位相において、回転規制壁２０によって係止片１９の回転が規制される第１の位相とし、係止受け壁２１によって係止片１９の上下移動の規制が解放される第２の位相とすると、第１の位相と第２の位相とが１９度に設定されている。発明者が実験を行った結果、このように設定することによって、中筒部１１から栓キャップ部１２を容易に外せ、かつ中筒部１１に栓キャップ部１２を容易に取り付けられるとの結果が出た。一方で、回転位相としては最低でも１度より大きい必要があり、また２６度以上となると、中筒部１１から栓キャップ部１２を外すに際して煩わしさを唱えるものが現れた。この点に鑑み、第１の位相と第２の位相とが０度より大きく且つ２５度より小さくなるように設定されるのが好ましいと考えられる。
【００４７】
なお、この発明の技術的範囲は、上述の各実施形態や各実施例に限定されず、特許請求の範囲の記載に基づく技術的思想の範囲内での全ての変更を含むものである。例えば、係合部の構成は、特に限定されず、栓キャップ部のパッキンと中筒部のシール面とで係合部を構成してもよい。
【符号の説明】
【００４８】
１  容器本体
２  栓
３  上端部
４  出入口
１０  外装カバー部
１１  中筒部
１２  栓キャップ部
１６  天面
１７  筒状壁
１８  係合部
１９  係止片
２０  回転規制壁
２１  係止受け壁
２２  抵抗部
２４  溝
２５  案内面
２６  掴み部
【図１】
2015221087.tif 000003
【図２】
2015221087.tif 000004
【図３】
2015221087.tif 000005
【図４】
2015221087.tif 000006
【図５】
2015221087.tif 000007
【図６】
2015221087.tif 000008
【図７】
2015221087.tif 000009